(57)【特許請求の範囲】
【請求項１】
箱状の筐体と、前記筐体の内部に電装品箱とトランスを備え、
前記電装品箱の背面に固定される一対の背面固定具と、前記背面固定具に固定される固定具を有しトランスを搭載するトランスユニットとを設け、
前記背面固定具は、前記電装品箱の背面に溶着され、前記トランスの取付用の部材が前記電装品箱の背面に突き当たらないように前記電装品箱との間に間隙を持たせるために断面台形状に形成され、前記固定具が固定されていることを特徴とする空気調和機の室外機。
【請求項２】
前記トランスユニットは、前記固定具に固定され前記トランスを覆って内部を密閉する箱状のカバーを備え、
前記固定具は、前記カバーで覆われる部分と前記カバーで覆われていない部分を有し、前記カバーで覆われていない部分が前記背面固定具に固定されていることを特徴とする請求項１に記載の空気調和機の室外機。
【請求項３】
前記固定具は、前記カバーで覆われていない部分に手掛け用の孔を備えることを特徴とする請求項２に記載の空気調和機の室外機。
【発明の詳細な説明】
【技術分野】
【０００１】
本発明は、空気調和機の室外機に関する。
【背景技術】
【０００２】
従来の空気調和機の室外機には、側面から空気を吸込んで冷媒と熱交換した後に天面から空気を吹出すものがある。この天面から空気を吹出す室外機は、ビルや商業施設などの屋上に設置され、複数の室内機と冷媒配管を介して接続される大型の室外機であり、略直方体形状の筐体と、筐体の内部に熱交換器、圧縮機、アキュムレータ、送風ファン、電装品箱等を備えている。
【０００３】
この天面から空気を吹出す室外機は、吸込口が筺体の両側面と背面に形成され、吹出口が筺体の天面に形成されている。筺体の吸込口側には、吸込口から吸込んだ空気と冷媒を熱交換する熱交換器が配置され、筺体の底面には、圧縮機やアキュムレータが配置されている。また、筺体の吹出口側には、吸込口から吸込み熱交換器で冷媒と熱交換した空気を吹出口から吹き出す送風ファンが配置されている。
【０００４】
この天面から空気を吹出す室外機としては、筐体の前面側には、圧縮機や送風ファンなどを制御するための電装部品が収納された電装品箱が配置され、この電装品箱には商用電源の電源電圧を変圧（降圧）するトランスが収納されたものが知られている（例えば、特許文献１参照）。この電装品箱の位置は、吸込口と吹出口とを結ぶ送風路に露出し、送風路には天面の吹出口から雨水が浸入する可能性があるため、電装品箱には隙間をシール材で埋めるなどの雨水対策が施されている。
【０００５】
しかしながら、このような天面から空気を吹出す室外機において、商用電源の電源電圧が高くなると、トランスが大型化し重量物（例えば、５．５ｋｇ）となるため、このような大型のトランスが収納された電装品箱を筐体に取り付ける場合、電装品箱の総重量が重くなって電装品箱の取付け作業が困難になる。
【０００６】
そこで、電装品箱と大型のトランスを筐体に別々に取り付けることが考えられるが、大型のトランスも、電装品箱と同様に、吸込口と吹出口とを結ぶ送風路に露出させて配置するため、大型のトランスにも雨水対策が必要になる。この大型のトランスを取付ける位置は、筐体が大型化することがなく、熱交換器や圧縮機などの配置に影響を与えない場所が良いため、大型のトランスを電装品箱の背面に取付けることが考えられる。さらに、大型のトランスを電装品箱の背面に取付ける場合には、ネジなどの取付用の部材を用いると、電装品箱の背面に取付用の孔を形成する必要があり、電装品箱の内部に雨水が浸入しないように、電装品箱の背面にも雨水対策が必要になる。
【先行技術文献】
【特許文献】
【０００７】
【特許文献１】特開２００９−１８０３８８号公報
【発明の概要】
【発明が解決しようとする課題】
【０００８】
本発明は上記問題点に鑑み、大型のトランスを室外機に配置される電装品箱に取付ける場合、電装品箱と大型のトランスが雨水の影響を受けることがない空気調和機の室外機を提供することを目的とする。
【課題を解決するための手段】
【０００９】
上記課題を解決するため、本発明の空気調和機の室外機は、箱状の筐体と、筐体の内部に電装品箱とトランスを備え、電装品箱の背面に固定される一対の背面固定具と、背面固定具に固定される固定具を有しトランスを搭載するトランスユニットとを設け、背面固定具は、電装品箱の背面に溶着され、トランスの取付用の部材が電装品箱の背面に突き当たらないように電装品箱との間に間隙を持たせるために断面台形状に形成され、固定具が固定されていることを特徴とする。
【００１０】
また、トランスユニットは、固定具に固定されトランスを覆って内部を密閉する箱状のカバーを備え、固定具は、カバーで覆われる部分とカバーで覆われていない部分を有し、カバーで覆われていない部分が背面固定具に固定されていることを特徴とする。
【００１１】
さらに、固定具は、カバーで覆われていない部分に手掛け用の孔を備えることを特徴とする。
【発明の効果】
【００１２】
本発明の空気調和機の室外機によれば、箱状の筐体と、筐体の内部に電装品箱とトランスを備え、電装品箱の背面に固定される一対の背面固定具と、背面固定具に固定される固定具を有しトランスを搭載するトランスユニットとを設け、背面固定具は、電装品箱の背面に溶着され、トランスの取付用の部材が電装品箱の背面に突き当たらないように電装品箱との間に間隙を持たせるために断面台形状に形成され、固定具が固定されていることにより、大型のトランスを室外機に配置される電装品箱に取付ける場合、電装品箱の内部への雨水の浸入を防ぐことができる。
【００１３】
また、トランスユニットは、固定具に固定されトランスを覆って内部を密閉する箱状のカバーを備え、固定具は、カバーで覆われる部分とカバーで覆われていない部分を有し、カバーで覆われていない部分が背面固定具に固定されていることにより、電装品箱とトランスユニットのいずれにおいても、別途、雨水対策を施す必要がなく、電装品箱とトランスユニットの内部への雨水の浸入を防ぐことができる。
【００１４】
さらに、固定具は、カバーで覆われていない部分に手掛け用の孔を備えることにより、手掛け用の孔に手を掛けてトランスユニットを持ち上げることができ、トランスユニットの背面固定具への取付けを容易に行うことができる。
【図面の簡単な説明】
【００１５】
【図１】本発明による空気調和機の室外機を示す外観斜視図である。
【図２】室外機の前面パネルを取外した状態を示す外観斜視図である。
【図３】室外機の送風ファンを中心にして見た断面図である。
【図４】室外機の前面パネルを取外して電装品箱を回動させた状態を示す外観斜視図である。
【図５】図４の電装品箱からトランスユニットを取外した状態を示す要部斜視図である。
【図６】図５に示すトランスユニットをＡ方向から見た要部斜視図である。
【図７】図５に示すトランスユニットを示す分解斜視図である。
【図８】図７に示す固定具にトランスを固定した状態を示す分解斜視図である。
【図９】図８に示す固定具にカバーを固定した状態を示す分解斜視図である。
【図１０】室外機の電装品箱とトランスユニットを中心にして見た要部側面図である。
【図１１】図４をＡ方向からトランスユニットを中心にして見た部分拡大側面図である。
【発明を実施するための形態】
【００１６】
以下、本発明の実施形態を添付図面に基づき詳細に説明する。図１乃至図１０は、本実施形態における空気調和機の室外機１を説明する図である。本実施形態における空気調和機の室外機１は、ビルや商業施設などの屋上に設置され、複数の室内機と冷媒配管を介して接続されるビル用マルチタイプの空気調和機に用いられる。本実施形態における空気調和機の室外機１では、側面の吸込口２０から空気を吸込んで冷媒と熱交換した後に天面の吹出口１３から空気を吹出す大型の室外機１を例に挙げて説明する。
【００１７】
空気調和機の室外機１は、図１乃至図３に示すように、筐体１０と、筐体１０の内部に収納された室外側冷媒回路３とを備えている。筐体１０は、大型で縦長な略直方体形状であり、ベース１１と、ベース１１の四方の角部または角部付近にそれぞれ配置され上端から下端まで鉛直に延びる支柱１２ａ〜１２ｅと、支柱１２ａ〜１２ｅの上端に固定される吹出口１３を備えた天板１４と、前面側の支柱１２ａと支柱１２ｄを連結する連結板１５と、各支柱１２ａ〜１２ｅの上端を接続する４枚の連結パネル１６からなる。ベース１１の下面には、筐体１０を設置場所に固定するための基礎脚１１ａが据え付けられている。これらは鋼板材をプレス加工して形成される。
【００１８】
前面側の支柱１２ａと支柱１２ｄの間には前面側を覆う前面パネル１７が取り付けられている。前面パネル１７は、連結パネル１６の下側に配置される上部前面パネル１７ａと、上部前面パネル１７ａの下側に配置される下部前面パネル１７ｂとからなり、それぞれ支柱１２ａと支柱１２ｄにネジで着脱自在に取り付けられ、図２に示すように設置時やメンテナンス時には取り外すことができる。
【００１９】
なお、以下、図１において前面パネル１７のある側を前面とし、前面から見て支柱１２ａ、支柱１２ｂのある側を左側面とし、支柱１２ｃ、支柱１２ｄのある側を右側面とし、支柱１２ｂと支柱１２ｃのある側を背面とし、天板１４のある側を天面として説明する。
【００２０】
天板１４の中央が開口された吹出口１３はファンガード１８で覆われている。吹出口１３の内部には、図３に示すように、送風ファン１９と送風ファン１９を取り囲むベルマウス（図示省略）が配置されている。送風ファン１９は連結パネル１６に固定されたモータ支持台２２に据付けられたファンモータ２３により回転駆動される。また、支柱１２ａと支柱１２ｂ、支柱１２ｂと支柱１２ｃ、支柱１２ｃと支柱１２ｄの間はそれぞれ吸込口２０が形成されている。
【００２１】
図２に示すように、空気調和機の室外機の設置時やメンテナンス時に前面パネル１７を取り外すと、筺体１０の内部には、室外側冷媒回路３と、電装品箱４と、連結板１５が現れる。
【００２２】
室外側冷媒回路３は、熱交換器３１、圧縮機（図示省略）、圧縮機用アキュムレータ（図示省略）、オイルタンク（図示省略）、レシーバータンク（図示省略）、アキュムレータ３２と、操作弁３３などの部品およびこれらの部品を接続する冷媒配管（図示省略）等とからなる。熱交換器３１は、ベース１１上に背面と左右側面の三方の吸込口２０に沿って設けられる。圧縮機と圧縮機用アキュムレータは、筺体１０内の前面側に鋼板材を折り曲げ加工して形成した空間を圧縮機室３５として形成し、その圧縮機室３５の内部にそれぞれ配置されている。
【００２３】
上記の構成により、吸込口２０と吹出口１３を結ぶ送風路２４が形成され、送風ファン１９の回転により筺体１０の三方の吸込口２０から吸い込まれた空気は、送風路２４を通る間に、熱交換器３１で冷媒と熱交換し、筐体１０のベルマウスと送風ファン１９で上部に導かれ吹出口１３から吹き出される。
【００２４】
電装品箱４は、前面側は前面パネル１７の裏側で、背面側は送風路２４に配置され、送風路２４を通過する空気にさらされるようになっており、図２および図３に示すように、鋼板材を折り曲げ加工して形成した前面が開口された箱状の電装品箱本体４０と、電装品箱本体４０の前面の開口を塞ぐように取付けられた電装品箱蓋４１とからなる。電装品箱本体４０の左側面には作業者が電装品箱４を持つための把手４２を備えている。
【００２５】
電装品箱４は、電装品箱本体４０の右側面上端が連結パネル１６に、右側面下端が連結板１５に片持ちヒンジ２５、２６によって、それぞれ回動可能に軸支されており、図４に示すように、開き戸のように開閉するようになっている。これにより、筐体１０内で電装品箱４の奥側に配置されている室外側冷媒回路３の各部品がメンテナンス可能となる。
【００２６】
図５に示すように、電装品箱本体４０は、背面と左側面と右側面からなる背面板４０１と、四辺から下方にフランジがある箱型で背面板に被さる上面板４０２と、背面板４０１の左側面と右側面の内面に背面板４０１を補強するために固着される側面板（図示省略）とからなる。電装品箱蓋４１は、背面板４０１に固着される側面板の前端の折り曲げられた部分にネジ止め固定されている。
【００２７】
電装品箱本体４０の背面板４０１には、内面に圧縮機や送風ファン１９などを制御するための各種の電装部品が取付けられている。電装品箱蓋４１の下端側は、Ｌ字状に折り曲げられた折曲部（図示省略）に沿ってシール部材（図示省略）が貼り着けられ、シール部材が電装品箱４の下面開口から引き出されるケーブル（図示省略）に密着するため、ケーブルの隙間から虫や雨水などの侵入を防ぐ。
【００２８】
従来の空気調和機の室外機においては、電装品箱の内部に取付けられる電装部品の中に商用電源の電圧を変圧するトランスがある。本実施形態の空気調和機の室外機１においては、図７と図８に示すように、このトランスとして、例えば、商用電源の電源電圧４６０Ｖを電源電圧２３０Ｖに変圧（降圧）する大型のトランス７２を用いており、このような大型のトランス７２は重量物（例えば、５．５ｋｇ）となる。しかしながら、従来の空気調和機の室外機と同じように、内部に大型のトランス７２を搭載した電装品箱４を筐体１０に配置する場合、電装品箱４の総重量が非常に重くなって電装品箱４の取付け作業が困難になる。そこで、本実施形態の空気調和機の室外機１においては、電装品箱４と大型のトランス７２を筐体１０に配置する際、電装品箱４と大型のトランス７２とを別々に取付けることができる構成になっている。
【００２９】
電装品箱本体４０は、図３乃至図６に示すように、電装品箱本体４０の背面板４０１にトランス７２を搭載したトランスユニット７が取付けられている。電装品箱本体４０の背面板４０１には、トランスユニット７を取付けるための左右一対の縦長形状の背面固定具６が固定されている。背面固定具６は、電装品箱本体４０の背面板４０１に、電装部品のうちの発熱部品を冷却するヒートシンク５が配置されていない位置に固定されている。背面固定具６とトランスユニット７は、図３と図４に示すように、圧縮機室３５の上方で室外側冷媒回路３の熱交換器３１、アキュムレータ３２よりも前方の位置にあり、周囲には圧縮機や操作弁３３やファンモータ２３と電装品箱４内の電装部品を接続するケーブル（図示省略）が納まっているだけで、熱交換器３１や圧縮機などの部品の配置に影響を与えることがない。しかしながら、背面固定具６とトランスユニット７の位置は、吸込口２０と吹出口１３を結ぶ送風路２４に存在し、天井の吹出口１３から雨水が浸入する可能性があるため、電装品箱本体４０の背面板４０１とトランスユニット７に対し、雨水対策が必要となる。
【００３０】
背面固定具６は、図５および図６に示すように、電装品箱本体４０の背面板４０１に取付用の孔をあけずに電装品箱４内に雨水が浸入するのを防ぐため、電装品箱本体４０の背面板４０１にスポット溶接により溶着されている。さらに、背面固定具６は、電装品箱本体４０の背面板４０１に取付用の孔をあける替わりに、トランスユニット７が取付けられたとき、図１１に示すように、トランスユニット７から突出するトランス取付用のネジ７４や、トランスユニット７を背面固定具６に取付けるトランスユニット取付用のネジ７５が、電装品箱本体４０の背面板４０１の背面に突き当たらないように、電装品箱本体４０の背面板４０１の背面との間に間隙Ｓを持たせるために断面台形状の板金製の部材になっている。この隙間Ｓの寸法は、固定具７１の板厚や背面固定具６の板厚を、ネジ７４のネジを切った軸部７４ａの長さＬ１、ネジ７５のネジを切った軸部７５ａの長さＬ２から引いた寸法よりも大きい寸法に設定されている。背面固定具６は背面６５と左側面６６と右側面６７と、左側面６６から電装品箱本体４０の背面板４０１の背面に沿って折れ曲がった左フランジ６１と、右側面６７から電装品箱本体４０の背面板４０１の背面に沿って折れ曲がった右フランジ６２とからなる。背面固定具６の背面６５は、トランスユニット７を取付けるために、左側の背面固定具６の背面６５には、少なくとも、逆Ｌ字形状の孔６３が左辺に沿って形成され、また、右側の背面固定具６の背面６５には、縦長矩形状の孔６４が右辺に沿って形成されている。本実施形態における背面固定具６は、電装品箱本体４０の背面板４０１の背面に、同一構造の背面固定具６を上下反転して左側用と右側用として固定できるように、背面固定具６の背面６５には、逆Ｌ字形状の孔６３と縦長矩形状の孔６４とを交互に２カ所ずつ形成されている。なお、背面固定具６は、左右一対の縦長形状の背面固定具６を備えるようにしたが、上下一対の横長形状の背面固定具を備えるようにしてもよい。
【００３１】
以上説明してきた背面固定具６の左フランジ６１と右フランジ６２は、電装品箱本体４０の背面板４０１の背面にスポット溶接により溶着されているため、電装品箱本体４０の背面板４０１への背面固定具６の取付に際し、電装品箱本体４０の背面板４０１にネジで取付けるための取付孔をあける必要がないので、電装品箱本体４０の背面板４０１から電装品箱４内に雨水が浸入するのを防ぐことができる。また、背面固定具６は、電装品箱本体４０の背面板４０１に取付用の孔をあける替わりに、トランスユニット７が取付けられたとき、トランスユニット７から突出するトランス取付用のネジ７４やトランスユニット７を背面固定具６に取付けるトランスユニット取付用のネジ７５が、電装品箱本体４０の背面板４０１の背面に突き当たらないように、電装品箱本体４０の背面板４０１の背面との間に間隙Ｓを持たせるために断面台形状に形成されている。なお、背面固定具６は、本実施形態では断面台形状に形成されているが、本発明はこれに限らず、背面固定具６は、トランスユニット７と電装品箱本体４０の背面板４０１の背面との間に間隙Ｓを持たせることができれば、断面矩形状に形成されていてもよく、また、左側の背面固定具６と右側の背面固定具６は、それぞれが背面固定具６の背面６５で２分割されていてもよい。
【００３２】
一方、トランスユニット７は、図６および図７に示すように、トランスユニット７内に雨水が浸入するのを防ぐため、大型のトランス７２を覆って密閉される構造になっている。このトランスユニット７は、左側および右側の背面固定具６に固定される略正方形状の板金製の固定具７１と、固定具７１に固定される大型のトランス７２と、固定具７１に固定され、大型のトランス７２を覆って内部を密閉する箱状の板金製のカバー７３とからなる。トランスユニット７は、大型のトランス７２はカバー７３より外形寸法が小さく、カバー７３は固定具７１より外形寸法が小さいものになっており、カバー７３の厚さは、例えば、０．８ｍｍで、固定具７１の厚さは、例えば、１．６ｍｍになっている。
【００３３】
また、トランスユニット７は、大型のトランス７２が重量物であるため、大型のトランス７２が固定される固定具７１と、固定具７１に固定されるカバー７３とを工夫することで、大型のトランス７２の重量に耐えられる強度を持ちつつ、総重量が重くならないようにし、背面固定具６への取付け作業を容易に行えるようにしている。なお、以下の説明において、図７に示すように、固定具７１の固定面７１ｆの４辺を、左辺７１ｆ１、右辺７１ｆ２、上辺７１ｆ３、下辺７１ｆ４として説明する。すなわち、固定具７１は、図６および図９に示すように、カバー７３で覆われている部分７１ｊとカバー７３で覆われていない部分７１ｋとを有し、カバー７３で覆われていない部分７１ｋには、左辺７１ｆ１から前面側に折れ曲がった逆Ｌ字状の一対の左固定片７１ａと、右辺７１ｆ２から前面側に折れ曲がった縦長矩形状の一対の右固定片７１ｂと、右辺７１ｆ２から背面側に折れ曲がった右フランジ７１ｃと、上辺７１ｆ３から背面側に折れ曲がった上フランジ７１ｄと、下辺７１ｆ４から背面側に折れ曲がった下フランジ７１ｅとを備える。固定具７１は、右フランジ７１ｃと上フランジ７１ｄと下フランジ７１ｅを、固定面７１ｆの右辺７１ｆ２、上辺７１ｆ３および下辺７１ｆ４においてそれぞれ折り曲げ形成しているため、固定面７１ｆに固定されるトランス７２の重量に耐えられる強度に補強することができる。また、カバー７３は、直接トランス７２が固定されない部品であることから、固定具７１の厚さよりも薄くすることによって、トランスユニット７の総重量（例えば、７．０ｋｇ）を軽くすることができる。さらに、カバー７３で覆われていない部分７１ｋに存在する左固定片７１ａと右固定片７１ｂは、左側および右側の背面固定具６にトランスユニット７を取付ける際に用いられる。
【００３４】
また、固定具７１は、図７に示すように、大型のトランス７２の固定面７１ｆに、大型のトランス７２の台座７２ａの一辺の両側の角部７２ｂと係合して大型のトランス７２を位置決めするための一対の切欠きポケット７１ｇを備える。固定具７１の右フランジ７１ｃおよび下フランジ７１ｅは、カバー７３の後述する右フランジ７３ｂと下フランジ７３ｄを当接させてカバー７３を位置決めするためのフランジを兼ねている。また、カバー７３で覆われていない部分７１ｋに存在する固定具７１の上フランジ７１ｄは、中央に手掛け可能な手掛け用の孔７１ｈが形成されている。この上フランジ７１ｄに形成された手掛け用の孔７１ｈに手を掛けることでトランスユニット７を持ち上げることができ、トランスユニット７の背面固定具６への取付け作業を容易に行うことができる。さらに、固定具７１の下フランジ７１ｅは、天面側に折れ曲がった先端部７１ｉが形成されている。この先端部７１ｉの形成により固定具７１の下フランジ７１ｅを筐体１０の連結板１５に弾性を持った状態で当接させて、電装品箱４とトランスユニット７の荷重の一部を連結板１５で受けることができる。なお、固定具７１は、切欠きポケット７１ｇの替わりに、大型のトランス７２の固定面７１ｆに、大型のトランス７２の台座７２ａの連続する２辺を当接させて大型のトランス７２を位置決めするための複数のダボを備えてもよい。
【００３５】
カバー７３は、背面７３ｅと左側面７３ｆと右側面７３ｇと天面７３ｈと底面７３ｉとを有し、左側面７３ｆから固定具７１の左辺に向かって折れ曲がった左フランジ７３ａと、右側面７３ｇから固定具７１の右フランジ７１ｃに向かって折れ曲がった右フランジ７３ｂと、天面７３ｈから固定具７１の上フランジ７１ｄに向かって折れ曲がった上フランジ７３ｃと、底面７３ｉから固定具７１の下フランジ７１ｅに向かって折れ曲がった下フランジ７３ｄとを備える。このように、カバー７３の左フランジ７３ａ、右フランジ７３ｂ、上フランジ７３ｃおよび下フランジ７３ｄは、固定具７１の左辺７１ｆ１、右フランジ７１ｃ、上フランジ７１ｄおよび下フランジ７１ｅよりも内側の位置にあり、カバー７３でトランス７２を覆ったとき、固定具７１のトランス７２の固定面７１ｆに当接させることができるようになっている。カバー７３は、これらの左フランジ７３ａ、右フランジ７３ｂ、上フランジ７３ｃおよび下フランジ７３ｄを、固定具７１のトランス７２の固定面７１ｆにシール部材（図示省略）を挟んで当接させて、固定具７１に固定することで、トランス７２を覆って内部を密閉することができ、トランスユニット７への雨水の浸入を防ぐことができる。
【００３６】
次に、以上のように構成されたトランスユニット７の組立について説明する。トランスユニット７の組立は、図７乃至図９に示すように、固定具７１の左固定片７１ａと右固定片７１ｂとを下側になるように、床面などの平坦面に固定具７１を置く。その後、トランス７２の台座７２ａの角部７２ｂを固定具７１の切欠きポケット７１ｇに係合させ、トランス７２を固定具７１に位置決めし、トランス７２をネジ（図示省略）で固定具７１に取付ける。次に、カバー７３によりトランス７２を覆い、カバー７３の右フランジ７３ｂと下フランジ７３ｄを、固定具７１の右フランジ７１ｃと下フランジ７１ｅに当接させ、カバー７３を固定具７１に位置決めし、カバー７３をネジ（図示省略）で固定具７１の固定面７１ｆに取付ける。このとき、例えば、カバー７３の左フランジ７３ａ、右フランジ７３ｂ、上フランジ７３ｃおよび下フランジ７３ｄと、固定具７１の固定面７１ｆとの間にシール部材を挟み込み、カバー７３の上フランジ７３ｃおよび下フランジ７３ｄが固定具７１の固定面７１ｆにネジ止めされる。
【００３７】
組立てたトランスユニット７は、カバー７３の下フランジ７３ｄが固定具７１の固定面７１ｆにネジ止めされるため、カバー７３の底面が固定具７１の下フランジ７１ｅと離れた位置になり、カバー７３が、筐体１０の連結板１５に固定具７１の下フランジ７１ｅを当接させるときの妨げにならない。また、カバー７３の上フランジ７３ｃが固定具７１の固定面７１ｆにネジ止めされるため、カバー７３の天面が固定具７１の上フランジ７１ｄと離れた位置になり、カバー７３が、上フランジ７１ｄの手掛け用の孔７１ｈに手を掛けるときの妨げにならない。なお、トランス７２に接続されたケーブル７２ｃは、固定具７１の固定面７１ｆの左辺とカバー７３の左フランジ７３ａとの間からシール部材に密着させた状態で引き出される。
【００３８】
次に、組立てたトランスユニット７の背面固定具６への取付について説明する。トランスユニット７の背面固定具６への取付は、図４に示すように、まず、電装品箱４を筐体１０の前面側に回動し、電装品箱本体４０の背面板４０１に固定された背面固定具６が見えるようにする。その後、図５と図６に示すように、床面などに置いたトランスユニット７を上フランジ７１ｄの手掛け用の孔７１ｈに下側から手を掛けて持ち上げた状態で、固定具７１の左固定片７１ａを、左側の背面固定具６の背面に形成された逆Ｌ字形状の孔６３の下端に引っ掛けて嵌合させる。次に、トランスユニット７が左側の背面固定具６に片持ち状態になっているため、トランスユニット７を右側の背面固定具６側に回動することで、固定具７１の右固定片７１ｂを、右側の背面固定具６の背面に形成された縦長矩形状の孔６４に嵌合させる。次に、図１１に示すように、固定具７１をネジ７５で左側および右側の背面固定具６に取付ける。このとき、固定具７１のカバー７３で覆われていない部分７１ｋ（例えば、固定具７１の固定面７１ｆの４つの角部）が、左側および右側の背面固定具６の背面６５にネジ止めされる。
【００３９】
背面固定具６へ取付けられたトランスユニット７は、図１１に示すように、大型のトランス７２の取付用のネジ７４や、トランスユニット７２の取付用のネジ７５が、固定具７１から左固定片７１ａおよび右固定片７１ｂの方向に外側に突出した状態になっている。しかしながら、固定具７１は、背面６５、左側面６６および右側面６７からなる断面台形状に形成された左側および右側の背面固定具６に、ネジ７４の軸部７４ａの長さＬ１の寸法やネジ７５ａの軸部７５ａの長さＬ２の寸法から固定具７１の板厚や背面固定具６の板厚を引いた寸法よりも大きい間隙Ｓの寸法を持たせた状態で取付けられているため、大型のトランス７２の取付用のネジ７４や、トランスユニット７２の取付用のネジ７５が、電装品箱本体４０の背面板４０１の背面に突き当たることがない。このように、トランスユニット７２は、電装品箱本体４０の背面板４０１に取付用の孔が要らず、背面固定具６に取付けることができる。また、トランスユニット７の荷重は左右一対の背面固定具６で受けて電装品箱本体４０の背面板４０１に対し分散することができ、大型のトランス７２の重量に応じて電装品箱４の板厚を厚くすることなく、電装品箱４の強度を補強することができる。
【００４０】
次に、背面固定具６へ取付けられたトランスユニット７は、図２に示すように、筐体１０の背面側に電装品箱４を回動させ、電装品箱４を筐体１０の支柱１２ａ、支柱１２ｅにネジ（図示省略）で固定すると、図１０に示すように、固定具７１の下フランジ７１ｅが筐体１０の連結板１５に当接し支持されるため、電装品箱４とトランスユニット７の荷重を連結板１５で受けることができ、筐体１０の支柱１２ａ、支柱１２ｅへの電装品箱４の固定状態を補強することができる。
【００４１】
以上説明してきた本実施形態による空気調和機の室外機１によれば、箱状の筐体１０と、筐体１０の内部に電装品箱４とトランス７２を備え、電装品箱４の背面に固定される一対の背面固定具６と、背面固定具６に固定される固定具７１を有しトランス７２を搭載するトランスユニット７とを設け、背面固定具６は、電装品箱４の背面に溶着され、トランス７２の取付用の部材が電装品箱４の背面に突き当たらないように電装品箱４との間に間隙Ｓを持たせるために断面台形状に形成され、固定具７１が固定されていることにより、大型のトランス７２を室外機１に配置される電装品箱４に取付ける場合、電装品箱４の内部への雨水の浸入を防ぐことができる。
【００４２】
また、トランスユニット７は、固定具７１に固定されトランス７２を覆って内部を密閉する箱状のカバー７３を備え、固定具７１は、カバー７３で覆われている部分７１ｊとカバー７３で覆われていない部分７１ｋを有し、カバー７３で覆われていない部分７１ｋが背面固定具６に固定されていることにより、電装品箱４とトランスユニット７のいずれにおいても、別途、雨水対策を施す必要がなく、電装品箱４とトランスユニット７の内部への雨水の浸入を防ぐことができる。さらに、固定具７１は、カバー７３で覆われていない部分７１ｋに手掛け用の孔７１ｈを備えることにより、手掛け用の孔７１ｈに手を掛けてトランスユニット７を持ち上げることができ、トランスユニット７の背面固定具６への取付けを容易に行うことができる。
【符号の説明】
【００４３】
１  室外機
１０  筐体
１１  ベース
１１ａ  基礎脚
１２ａ〜１２ｅ  支柱
１３  吹出口
１４  天板
１５  連結板
１６  連結パネル
１７  前面パネル
１７ａ  上部前面パネル
１７ｂ  下部前面パネル
１８  ファンガード
１９  送風ファン
２０  吸込口
２２  モータ支持台
２３  ファンモータ
２４  送風路
２５、２６  片持ちヒンジ
３  室外側冷媒回路
３１  熱交換器
３２  アキュムレータ
３３  操作弁
３５  圧縮機室
４  電装品箱
４０  電装品箱本体
４０１  背面板
４０２  上面板
４１  電装品箱蓋
５  ヒートシンク
６  背面固定具
６１  左フランジ
６２  右フランジ
６３  逆Ｌ字形状の孔
６４  縦長矩形状の孔
６５  背面
６６  左側面
６７  右側面
７  トランスユニット
７１  固定具
７１ａ  左固定片
７１ｂ  右固定片
７１ｃ  右フランジ
７１ｄ  上フランジ
７１ｅ  下フランジ
７１ｆ  固定面
７１ｆ１  左辺
７１ｆ２  右辺
７１ｆ３  上辺
７１ｆ４  下辺
７１ｇ  切欠きポケット
７１ｈ  手掛け用の孔
７１ｉ  先端部
７１ｊ  カバー７３で覆われている部分
７１ｋ  カバー７３で覆われていない部分
７２  トランス
７２ａ  台座
７２ｂ  角部
７２ｃ  ケーブル
７３  カバー
７３ａ  左フランジ
７３ｂ  右フランジ
７３ｃ  上フランジ
７３ｄ  下フランジ
７３ｅ  背面
７３ｆ  左側面
７３ｇ  右側面
７３ｈ  天面
７３ｉ  底面
７４、７５  ネジ
７４ａ、７５ａ  軸部
Ｓ  隙間
Ｌ１  軸部７４ａの長さ
Ｌ２  軸部７５ａの長さ
【図１】
0006264226.tif 000002
【図２】
0006264226.tif 000003
【図３】
0006264226.tif 000004
【図４】
0006264226.tif 000005
【図５】
0006264226.tif 000006
【図６】
0006264226.tif 000007
【図７】
0006264226.tif 000008
【図８】
0006264226.tif 000009
【図９】
0006264226.tif 000010
【図１０】
0006264226.tif 000011
【図１１】
0006264226.tif 000012